(57)【要約】【課題】スクリーン装置に入ったり通り抜けたりすることが可能で、かつ、スクリーン装置に入ったり通り抜けたりする際に人や物の存在に影響を受けずに画像を表示することができるようにする。【解決手段】プロジェクタＰＪ１，ＰＪ２と、前記プロジェクタＰＪ１，ＰＪ２から投射される投射画像を表示するスクリーン装置１００とを有し、前記スクリーン装置１００は、光を透過する光透過性と光を拡散する光拡散性とを有する複数の光拡散手段（幕１０１，１０１，・・・）を有し、前記複数の光拡散手段のうちの第１の光拡散手段で透過した投射画像を第２の光拡散手段で拡散する。【選択図】図１
2008268859.tif 000002
【特許請求の範囲】
【請求項１】
プロジェクタと、
前記プロジェクタから投射される投射画像を表示するスクリーン装置とを有し、
前記スクリーン装置は、
光を透過する光透過性と光を拡散する光拡散性とを有する複数の光拡散手段を有し、前記複数の光拡散手段のうちの第１の光拡散手段で透過した投射画像を第２の光拡散手段で拡散することを特徴とする画像表示システム。
【請求項２】
請求項１に記載の画像表示システムにおいて、
前記プロジェクタは、前記スクリーン装置に対して互いに異なる方向から画像を投射するように複数配置されることを特徴とする画像表示システム。
【請求項３】
請求項２に記載の画像表示システムにおいて、
前記プロジェクタが、前記スクリーン装置を挟んで一方の側と他方の側に対向して設置される場合、前記他方の側に設置するプロジェクタは、前記一方の側のプロジェクタから投射される投射画像の鏡像を投射することを特徴とする画像表示システム。
【請求項４】
請求項１〜３のいずれかに記載の画像表示システムにおいて、
前記光拡散手段は、外力が加わることにより揺動可能な布材が用いられることを特徴とする画像表示システム。
【請求項５】
請求項１〜４のいずれかに記載の画像表示システムにおいて、
前記光拡散手段は、少なくとも一本のスリットを有することを特徴とする画像表示システム。
【請求項６】
請求項１〜５のいずれかに記載の画像表示システムにおいて、
前記光拡散手段は、前記プロジェクタの投射方向に沿って隣り合う光拡散手段の光透過面と光拡散面とが対向するように配置されることを特徴とする画像表示システム。
【請求項７】
請求項１〜５のいずれかに記載の画像表示システムにおいて、
前記光拡散手段は、前記スクリーン装置を上方から見たとき、複数のループを形成するように配置され、かつ、前記複数のループが複数の層を形成するように配置されることを特徴とする画像表示システム。
【請求項８】
請求項７に記載の画像表示システムにおいて、
前記ループは円形であることを特徴とする画像表示システム。
【請求項９】
請求項７に記載の画像表示システムにおいて、
前記ループは多角形であることを特徴とする画像表示システム。
【請求項１０】
請求項１〜５に記載の画像表示システムにおいて、
前記光拡散手段は、前記スクリーン装置を上方から見たとき、格子状に配置されることを特徴とする画像表示システム。
【請求項１１】
プロジェクタから投射される投射画像を表示する画像表示方法であって、
光を透過する光透過性と光を拡散する光拡散性とを有する複数の光拡散手段を有し、前記複数の光拡散手段のうちの第１の光拡散手段で透過した投射画像を第２の光拡散手段で拡散するスクリーン装置に前記投射画像を表示することを特徴とする画像表示方法。
【請求項１２】
プロジェクタから投射される投射画像を表示するスクリーン装置であって、
光を透過する光透過性と光を拡散する光拡散性とを有する複数の光拡散手段を有し、前記複数の光拡散手段のうちの第１の光拡散手段で透過した投射画像を第２の光拡散手段で拡散することを特徴とするスクリーン装置。
【発明の詳細な説明】
【技術分野】
【０００１】
本発明は、プロジェクタを用いて画像を表示する画像表示システム、画像表示方法及び画像表示システムに用いるためのスクリーン装置に関する。
【背景技術】
【０００２】
投射型の画像表示装置であるプロジェクタは、投射画像を再現するためのスクリーンが不可欠である。プロジェクタの投射画像を表示するためのスクリーンの分類の仕方としては、硬質で破損しにくいハードタイプのスクリーン、収納や移動に便利なソフトタイプのスクリーンというような分類、プロジェクタの投射方向によるフロント投射型のスクリーン、リア投射型のスクリーンといった分類の仕方がある。
【０００３】
いずれのスクリーンを用いる場合であっても、スクリーンの存在によって人などの移動が阻害されたり、見る方向が限定されたりする。このため、プロジェクタとスクリーンとを組み合わせた画像表示システムは、会議室、映画館など限られた場所での使用が主となる。
これに対して、最近では、「フォグスクリーン」や「白煙スクリーン」などのスクリーンが存在する（例えば、特許文献１、特許文献２参照）。
【０００４】
特許文献１に開示された技術（第１従来技術という）は、霧を均一に平面的に発生させることによってスクリーン（フォグスクリーン）を形成し、形成されたフォグスクリーンにプロジェクタなどの画像投射装置から投射される画像を表示するものである。このようなフォグスクリーンによれば、人などの移動は阻害されず、スクリーン内に人が入り込んだり、物を置いたり、また、人がスクリーンを通り抜けることも可能である。
【０００５】
したがって、このようなフォグスクリーンを、例えば、空港、駅、病院、ショッピングモールなどの通路に形成させることにより、目的地までの道案内の表示や様々な情報を表示する案内表示板として機能させたり、また、各種のイベントやショーなどに用いることにより、これまでにない演出効果を得るための装置として機能させることができ、フォグスクリーンとプロジェクタとを組み合わせた新しい画像表示システムを構築することができる。
【０００６】
また、特許文献２に開示された技術（第２従来技術という）は、白煙を発生させることによってスクリーン（白煙スクリーン）を形成し、形成された白煙スクリーンにプロジェクタなどの画像投射装置から投射される画像を表示するものである。このような白煙スクリーンもフォグスクリーンと同様、スクリーン内に人が入り込んだり、物を置いたり、また、人がスクリーンを通り抜けることも可能であるため、フォグスクリーンと同様の使い方ができる。
【０００７】
【特許文献１】特開平４−２８７０３２号公報
【特許文献２】特開平７−５６２３５号公報
【発明の開示】
【発明が解決しようとする課題】
【０００８】
しかしながら、上記したフォグスクリーン及び白煙スクリーンを例えば通路などに設けた場合、プロジェクタなどの画像投射装置とスクリーンとの間に人や物が存在すると、人や物が投射光を遮ることとなり、スクリーン上の画像に人や物の影が生じて、他の人が画像を見ることができなくなるという問題がある。
【０００９】
本発明は、人や物の存在に影響を受けずに画像を表示することができる画像表示システム、画像表示方法及び前記画像表示システムに用いるスクリーン装置を提供することを目的とする。
【課題を解決するための手段】
【００１０】
（１）本発明の画像表示システムは、プロジェクタと、前記プロジェクタから投射される投射画像を表示するスクリーン装置とを有し、前記スクリーン装置は、光を透過する光透過性と光を拡散する光拡散性とを有する複数の光拡散手段を有し、前記複数の光拡散手段のうちの第１の光拡散手段で透過した投射画像を第２の光拡散手段で拡散することを特徴とする。
【００１１】
本発明の画像表示システムは、光拡散手段が複数存在し、各々の光拡散手段は光透過性と光拡散性とを有しているので、各プロジェクタからの投射画像は、各々の光拡散手段で画像を表示させることができる。このため、スクリーン装置に人が入り込んだり物が置かれたりした場合でも、いずれかの光拡散手段で画像の表示がなされているので、スクリーン装置の周辺にいる人は、スクリーン装置内の人や物などの存在の影響を受けずに投射画像を見ることができる。
【００１２】
（２）前記（１）に記載の画像表示システムにおいて、前記プロジェクタは、前記スクリーン装置に対して互いに異なる方向から画像を投射するように複数配置されることが好ましい。
【００１３】
このように、複数のプロジェクタによって異なった方向から画像を投射するようにしているので、あるプロジェクタからの投射画像が人などによって遮られたとしても、他のプロジェクタからの投射画像が表示される。これにより、例えば、スクリーン装置内に人が入り込んだ場合であっても、スクリーン装置内の人の存在の影響を受けずに投射画像を表示することができる。
【００１４】
（３）前記（２）に記載の画像表示システムにおいて、前記プロジェクタが、前記スクリーン装置を挟んで一方の側と他方の側に対向して設置される場合、前記他方の側に設置するプロジェクタは、前記一方の側のプロジェクタから投射される投射画像の鏡像を投射することが好ましい。
【００１５】
このように、他方の側に設置するプロジェクタは、一方の側のプロジェクタから投射される投射画像の鏡像を投射することによって、例えば、一方の側のプロジェクタからの投射画像が、スクリーン装置内に入っている人の存在により遮られたとしても、他方のプロジェクタが一方のプロジェクタから投射される投射画像の鏡像を投射しているので、スクリーン装置に入っている人だけではなく、周囲の人もスクリーン装置に表示されている情報を読み取ることができる。
【００１６】
（４）前記（１）〜（３）のいずれかに記載の画像表示システムにおいて、前記光拡散手段は、外力が加わることにより揺動可能な材質を有する布材が用いられることが好ましい。
【００１７】
光拡散手段は柔らかい布材でなるものであるため、人などが光拡散手段と光拡散手段との間に入ったり、物を光拡散手段と光拡散手段との間に置いたりすることが容易に行える。なお、光を透過する光透過性と光を拡散する光拡散性とを有し、かつ、外力が加わることにより揺動可能といった条件を有する布材としては、７デニール以下の超極細糸を使用した超極薄繊維が存在する。
【００１８】
（５）前記（１）〜（４）のいずれかに記載の画像表示システムにおいて、前記光拡散手段は、少なくとも一本のスリットを有することが好ましい。
【００１９】
各々の光拡散手段がスリットを有することにより、人はプロジェクタの投射方向に沿ってスクリーン装置を通り抜けることができる。これにより、本発明の画像表示システムは、例えば、建物内の通路などに設けて、道案内の表示や様々な情報を表示させるという使い方も可能となる。
【００２０】
（６）前記（１）〜（５）のいずれかに記載の画像表示システムにおいて、前記光拡散手段は、前記プロジェクタの投射方向に沿って隣り合う光拡散手段の光透過面と光拡散面とが対向するように配置されることが好ましい。
【００２１】
これは、光拡散手段の配置の仕方の一例を示すものであり、光拡散手段が例えば平たい幕である場合、各光拡散手段のそれぞれの幕面が対向するように光拡散手段を直線的に並べたものである。複数の光拡散手段をこのように配置して、プロジェクタから画像を投射することにより、プロジェクタから投射された画像は、当該プロジェクタの投射方向に沿って配置された複数の光拡散手段それぞれにおいて表示される。
【００２２】
（７）前記（１）〜（５）のいずれかに記載の画像表示システムにおいて、前記光拡散手段は、前記スクリーン装置を上方から見たとき、複数のループを形成するように配置され、かつ、前記複数のループが複数の層を形成するように配置されることもまた好ましい。
【００２３】
これも光拡散手段の配置の仕方の一例を示すものであり、光拡散手段をこのように配置することにより、立体的なスクリーン装置を構築することができ、このようなスクリーン装置に様々な角度からプロジェクタによって画像を投射するようことにより、立体感のある画像を表現することができる。
【００２４】
（８）前記（７）に記載の画像表示システムにおいて、前記ループは円形であることが好ましい。
光拡散手段をこのように配置することにより、円筒形状の外観を有するスクリーン装置を構築することができる。このように構築されたスクリーン装置に様々な角度からプロジェクタによって画像を投射するようことにより、立体感のある画像を表現することができ、従来の平面的なスクリーン装置とは異なった画像の表示の仕方が可能となる。
【００２５】
（９）前記（７）に記載の画像表示システムにおいて、前記ループは多角形であることもまた好ましい。
光拡散手段をこのように配置することにより、多角柱状の外観を有するスクリーン装置を構築することができる。このように構築されたスクリーン装置に様々な角度からプロジェクタによって画像を投射するようことにより、円筒形のスクリーン装置と同様、立体感のある画像を表現することができ、従来の平面的なスクリーン装置とは異なった画像の表示の仕方が可能となる。
【００２６】
（１０）前記（１）〜（５）のいずれかに記載の画像表示システムにおいて、前記光拡散手段は、前記スクリーン装置を上方から見たとき、格子状に配置されることを特徴とする画像表示システム。
光拡散手段をこのように配置することにより、プロジェクタを例えばスクリーン装置を囲むように四方に設置して、スクリーン装置の四方の面に対して画像を投射するといったことも可能となる。これにより、従来の平面的なスクリーン装置とは異なった画像を表現
することが可能となり、また、円筒形のスクリーン装置や多角柱のスクリーン装置とは異なった画像の表示の仕方も可能となる。
【００２７】
（１１）本発明の画像表示方法は、光を透過する光透過性と光を拡散する光拡散性とを有する複数の光拡散手段を有し、前記複数の光拡散手段のうちの第１の光拡散手段で透過した投射画像を第２の光拡散手段で拡散するスクリーン装置に前記投射画像を表示することを特徴とする。
【００２８】
このような方法によって画像表示を行うことにより、前記（１）に記載の画像表示システムと同様の効果が得られる。なお、本発明の画像表示方法においても、前記（２）〜（１０）に記載の画像表示システムと同様の特徴を有することが好ましい。
【００２９】
（１２）本発明のスクリーン装置は、プロジェクタから投射される投射画像を表示するスクリーン装置であって、光を透過する光透過性と光を拡散する光拡散性とを有する複数の光拡散手段を有し、前記複数の光拡散手段のうちの第１の光拡散手段で透過した投射画像を第２の光拡散手段で拡散することを特徴とする。
【００３０】
このような構成を有するスクリーン装置と複数のプロジェクタとを組み合わせることによって前記（１）に記載の画像表示システムを構成することができる。なお、本発明のスクリーン装置においても前記（２）〜（１０）に記載の画像表示システムと同様の特徴を有することが好ましい。
【発明を実施するための最良の形態】
【００３１】
以下、本発明の実施形態について説明する。
[実施形態１]
図１は実施形態１に係る画像表示システムの構成を概略的に示す図である。実施形態１に係る画像表示システムは、光拡散手段としての幕１０１，１０１，・・・と、幕１０１，１０１，・・・の各幕面１０１ａが図１におけるｘ軸方向において所定間隔を有して対向するように支持する支持装置１１０とを有するスクリーン装置１００と、スクリーン装置１００に互いに異なった方向から画像を投射して、幕１０１,１０１，・・・の各幕面
１０１ａに画像を表示する少なくとも１台の（実施形態１では２台とする）のプロジェクタＰＪ１，ＰＪ２とを有している。
【００３２】
幕１０１，１０１，・・・は、光を透過する性質（光透過性という）と光を拡散する性質（光拡散性という）とを有し、かつ、薄手の柔らかい布材によって作られている。また、幕１０１，１０１，・・・は、光拡散率に比べて、より大きな光透過率を有することが好ましい。
このように、光を透過する光透過性と光を拡散する光拡散性とを有し、かつ、薄手で柔らかく、また、光拡散率に比べて、より大きな光透過率を有するといった条件を満足できる布材としては、例えば、７デニール以下の超極細糸を使用した超極薄繊維が存在する。なお、７デニール以下の超極細糸を使用した超極薄繊維としては、スーパーオーガンザと呼ばれる超極薄繊維を例示することができる。
【００３３】
支持装置１１０は、プロジェクタの投射方向に沿って設けられた２本のフレーム１１１，１１２と、これらフレーム１１１，１１２間に架け渡され、幕１０１，１０１，・・・を吊り下げる複数の吊り下げ用部材１１３，１１３，・・・とを有している。なお、支持装置１１０は、図１に示すような構成に限られるものではなく、本発明の画像表示システムを設置する場所などによって種々の構成のものを用いることができる。
【００３４】
また、幕１０１，１０１，・・・は、吊り下げ用部材１１３，１１３，・・・からカー
テンのように吊り下げられているだけであって、少なくとも上下方向（図示ｚ軸方向）へのテンションはかけられていない。なお、幕１０１，１０１，・・・の各幕面１０１ａには横方向（図１におけるｙ軸方向）に大きな「しわ」などなどが生じないように吊り下げ用部材１１３，１１３，・・・から吊り下げられることが好ましい。
【００３５】
このように、スクリーン装置１００は、幕１０１，１０１，・・・が支持装置１１０の吊り下げ用部材１１３，１１３，・・・からカーテンのように吊り下げられているだけであり、かつ、柔らかい薄手の布製であるので、幕と幕との間に人が入り込んだり、物を置いたりすることができる。
【００３６】
また、プロジェクタＰＪ１，ＰＪ２のうちの一方のプロジェクタ（プロジェクタＰＪ１とする）は、フロント投射モードでの投射を行うように設定されている。また、他方のプロジェクタ（プロジェクタＰＪ２とする）は、リア投射モードによる投射を行うように設定されている。すなわち、当該プロジェクタＰＪ２からは、プロジェクタＰＪ１が投射する投射画像の鏡像が投射されるように設定されているものとする。
【００３７】
なお、本発明の各実施形態に係る画像表示システムにおいては、２台のプロジェクタＰＪ１，ＰＪ２は同じ情報を投射するように設定されているものとするが、異なった情報を表示することも可能である。また、プロジェクタＰＪ１，ＰＪ２の投射モードの設定や、どのような情報を表示させるかの設定は、本発明の画像表示システムの管理者などによって予め設定することが可能である。
【００３８】
図２はプロジェクタＰＪ１，ＰＪ２の光学系の構成を概略的に示す図である。プロジェクタＰＪ１，ＰＪ２は、図２に示すように、光源１１とレンズアレイ１２と重畳レンズ１３とを有する光源装置１０、光源装置１０からの光を赤色光と他の色光とに分離する第１ダイクロイックミラー２１、第１ダイクロイックミラー２１で分離された他の色光を緑色光と青色光とに分離する第２ダイクロイックミラー２２、赤色光を変調する光変調素子（液晶パネル）２３Ｒ、緑色光を変調する光変調素子（液晶パネル）２３Ｇ、青色光を変調する光変調素子（液晶パネル）２３Ｂ、第１ダイクロイックミラー２１を通過した赤色光を光変調素子２３Ｒに導く反射ミラー２４、第２ダイクロイックミラー２２を通過した青色光を光変調素子２３Ｂに導くリレーレンズ２５，２６及び反射ミラー２７，２８、光変調素子２３Ｒ，２３Ｇ，２３Ｂで変調された光を合成するクロスダイクロイックプリズム２９、クロスダイクロイックプリズム２９で合成された画像光を投射する投射光学系３０を有している。
なお、各光変調素子２３Ｒ，２３Ｇ，２３Ｂは、液晶を用いた光変調素子に限られるものではなく、マイクロミラー型の光変調素子を用いたものであってもよい。
【００３９】
図３は実施形態１に係る画像表示システムの構成を模式的に示す図であり、具体的には、図１に示すスクリーン装置１００の幕１０１，１０１，・・・とプロジェクタＰＪ１，ＰＪ２との関係を示すものである。なお、図３（ａ）は実施形態１に係る画像表示システムの斜視図、図３（ｂ）は実施形態１に係る画像表示システムを上方から見た平面図であり、図３においては、支持装置１１０は図示が省略されている。
【００４０】
図３に示すように、実施形態１に係る画像表示システムにおいて用いられるスクリーン装置１００は、幕１０１，１０１，・・・の各幕面１０１ａが対向するように、幕１０１，１０１，・・・が配置された構成となっている。また、各幕面１０１ａの間隔は、ほぼ等間隔（例えば、数十センチメートル程度の間隔）で、かつ、各幕面１０１ａは平行に設置されているとする。
【００４１】
図４はスクリーン装置１００に２台のプロジェクタＰＪ１，ＰＪ２で投射を行った状態
を模式的に示す図である。図４に示すように、プロジェクタＰＪ１はフロント投射モードによる投射を行い、プロジェクタＰＪ２はリア投射モードによる投射を行っている。図４においては、プロジェクタＰＪ１からは、例えば、「Ａ，Ｂ，Ｃ・・・」という画像がフロント投射モードにより投射されており、プロジェクタＰＪ２からは同じく「Ａ，Ｂ，Ｃ，・・・」という画像がリア投射モードにより投射されている。
【００４２】
また、このとき、プロジェクタＰＪ１から投射される画像とプロジェクタＰＪ２から投射される画像は、各幕面１０１ａ上においてそれぞれの表示位置が一致するように設定されている。このため、プロジェクタＰＪ１側から見た場合、「Ａ，Ｂ，Ｃ・・・」という画像は、正しい文字の向きで表示されることとなる。
【００４３】
また、幕１０１，１０１，・・・は、光透過性と光拡散性とを有し、かつ、光透過性が光拡散性に比べて高いため、プロジェクタＰＪ１，ＰＪ２から投射された画像は、幕１０１，１０１，・・・の各幕面１０１ａを透過するとともに幕１０１，１０１，・・・の各幕面１０１ａ上で表示される。
【００４４】
なお、プロジェクタＰＪ１から投射された画像及びプロジェクタＰＪ２から投射された画像は、各プロジェクタＰＪ１，ＰＪ２に近い位置の幕ほど明確に表示され、各プロジェクタＰＪ１，ＰＪ２から遠い位置の幕ほど表示の明確さの度合いが低くなるが、幕の数が実施形態１に係る画像表示システムのように５枚程度であれば、各プロジェクタＰＪ１，ＰＪ２からそれぞれ最も遠い位置の幕に表示される画像であっても十分に視認可能な程度の明確さを有する。
【００４５】
このようなスクリーン装置１００を用いて画像表示システムを構成することによって、プロジェクタＰＪ１，ＰＪ２でスクリーン装置１００に投射された画像は、幕１０１，１０１，・・・の各幕面１０１ａに図４に示すように表示される。したがって、図４に示すような画像表示システムにおいて、人がスクリーン装置１００内（幕と幕との間）に入ることによって、例えば、プロジェクタＰＪ１からの投射光を遮る状態となったとしても、プロジェクタＰＪ２からの投射画像がリア投射モードによって表示されているため、スクリーン装置１００内に入っている人はスクリーン装置１００に表示されている画像を見ることができる。また、スクリーン装置１００内に入っている人だけでなく、スクリーン装置１００の周囲にいる人もスクリーン装置１００に表示されている画像を見ることができる。
【００４６】
なお、本発明の画像表示システムにおいては、人がスクリーン装置１００内に入ることが可能であることから、各プロジェクタＰＪ１，ＰＪ２の光源の光が人の眼に入る可能性もあるが、人がスクリーン装置１００内に入った場合は、投射光は幕１０１，１０１，・・・を介して人に照射されるので、プロジェクタＰＪ１，ＰＪ２の光源の光が直接目に入る場合に比べて、目に与える影響は大幅に減少する。
【００４７】
また、人の目に与える影響をより小さくするためには、プロジェクタＰＪ１，ＰＪ２を図５に示すように、一般的な人の目線よりも十分高い位置に設置することが好ましい。プロジェクタＰＪ１，ＰＪ２を図５のような位置に設置することによって、プロジェクタＰＪ１，ＰＪ２の光源の光が人の目に直接入るのを防ぐことができる。なお、プロジェクタＰＪ１，ＰＪ２を図５のような位置に設置することが好ましいことは、後述の他の実施形態においても同様である。
【００４８】
実施形態１に係る画像表示システムとすることにより、スクリーン装置１００内に人が入り込んだり、物を置いたりすることができるので、例えば、各種のイベント会場、ショー会場、ショウルーム、レストランなどで人や物と映像とを組み合わせた様々な演出を行
うことができ、これまでとは異なった新しい画像表示システムを構築することができる。特に、プロジェクタからの投射画像が複数の幕に奥行きを持った状態で表示されるので、炎、水などの自然現象の動画像は、より質感の高いリアルなものとなる。また、文字情報などの表示も効果的に行うことができる。
【００４９】
図６は実施形態１に係る画像表示システムの使用例（その１）を示す図である。図６はプロジェクタ（図６では図示せず）から波の動画像をスクリーン装置１００に投射した例であり、図６（ｂ）はプロジェクタから炎の動画像をスクリーン装置１００に投射した例である。図６（ａ），（ｂ）に示すように、プロジェクタから投射される波や炎の動画像が複数の幕１０１，１０１，・・・に幾重にも表示されるので、奥行きのある質感の高いリアルな映像となる。
【００５０】
また、図７は実施形態１に係る画像表示システムの使用例（その２）を示す図である。図７は実施形態１に係る画像表示システムをレストランや喫茶店などに使用した例を示す図である。図７は客３０１と店員３０２とが対面する場所として、例えば、カウンタ３０３の上方に、複数の幕１０１，１０１，・・・（図７の例では幕を２枚としている）を天井から吊り下げた場合を例示している。このように、図７は２枚の幕１０１，１０１をメニューの表示板として使用した例であり、プロジェクタ（図７では図示せず）からはメニューの品目などを示す画像が投射されている。
【００５１】
実施形態１に係る画像表示システムを図７に示すように使用した場合、幕１０１，１０１は薄く柔らかな布材で、かつ、シースルーの度合いが高いので、客３０１や店員３０２に圧迫感を与えることなく、従来とは異なった新しい雰囲気を作りだすことができる。なお、この場合も幕は複数枚（図７では２枚）存在するので、幕と幕との間に人（図７の例では店員３０２）が入っていても、店内の色々な方向からメニューを見ることができる。なお、図７において、客３０１から見て最も遠い位置に投射された画像は、２枚目の幕１０１を透過した画像が壁３０４に表示されている画像である。
【００５２】
以上説明したように、実施形態１に係る画像表示システムは、これまでとは異なった新しい画像表示システムを構築することができ、各種のイベント会場、ショー会場、ショウルーム、レストランなどで使用することにより、斬新で人目を引く画像表示システムとすることができる。また、実施形態１に係る画像表示システムは、当該画像表示システムを設置する際に、大掛かりな工事などは不要で、安価で簡単に設置することができ、移動なども容易であるので、様々な分野で手軽に使用することができる。
【００５３】
[実施形態２]
図８は実施形態２に係る画像表示システムの構成を模式的に示す図である。図８は実施形態１に係る画像表示システムの説明で用いた図３に対応する図であり、図８（ａ）は斜視図、図８（ｂ）は画像表示システムを上方から見た平面図である。なお、図８において、支持装置１１０などを含めた全体的な構成は図１と同様に考えることができる。
【００５４】
実施形態２に係る画像表示システムは、スクリーン装置１００を構成する幕１０１，１０１，・・・の各幕面１０１ａに上下方向（図８におけるｚ軸方向）のスリットＳを少なくとも一本設けたものである。図８に示す例においては、幕１０１，１０１，・・・の各幕面１０１ａには、上下方向の２本のスリットＳが等間隔に設けられた例が示されている。なお、図８においては、スリットＳは、幕１０１，１０１，・・・の下端から上端に達するまで設けられている例が示されているが、必ずしも上端に達するまで設けなくてもよい。
【００５５】
実施形態２に係る画像表示システムは、スクリーン装置１００を図８に示すような構成
とすることによって、実施形態１に係る画像表示システムと同様、人は幕と幕の間に入ることが可能であり、また、それに加えて、実施形態２に係る画像表示システムにおいては、人がプロジェクタＰＪ１，ＰＪ２の投射方向（図８におけるｘ軸方向）に沿って移動することもできる。すなわち、人は幕１０１，１０１，・・・に設けられたスリットＳの存在により幕１０１，１０１，・・・を順次移動することができ、それによって人はスクリーン装置１００をプロジェクタＰＪ１，ＰＪ２の投射方向に沿って通り抜けることができる。
【００５６】
このように、実施形態２に係る画像表示システムにおいては、人はスクリーン装置１００をプロジェクタの投射方向に沿って通り抜けることができるので、実施形態１に係る画像表示システムと同様の使い方に加えて、例えば、空港、駅、病院、ショッピングモールなどの大規模な建物内の通路などに設けて、道案内の表示や様々な情報を表示させるという使い方も可能となる。
【００５７】
図９は実施形態２に係る画像表示システムの使用例を示す図である。図９は実施形態２に係る画像表示システムを空港の建物内の通路に設置し、スクリーン装置１００を案内表示板として使用する例である。
【００５８】
スクリーン装置１００を図９に示すように設置することにより、通行人の進行方向正面にスクリーン装置１００が存在することとなるので、通行人は、スクリーン装置１００の幕１０１，１０１，・・・に投射された案内表示を、視線を殆ど動かすことなく目視することができる。これにより、通行人は、案内表示を見落とすことがなく、自分の行き先の場所を容易に知ることができる。また、幕１０１，１０１，・・・は薄く柔らかな布材であり、かつ、各々の幕１０１，１０１，・・・には、スリットＳが設けられているので、通行の邪魔になることはない。
【００５９】
また、スクリーン装置１００は、複数枚の幕１０１，１０１，・・・で構成され、どの幕１０１，１０１，・・・にも案内表示が投射されているので、自分以外の通行人がスクリーン装置１００内に入っていたとしても、案内表示がスクリーン装置１００内に入っている通行人によって全く見えなくなるということを防止することができる。
【００６０】
[実施形態３]
図１０は実施形態３に係る画像表示システムの構成を模式的に示す図である。図１０は実施形態１に係る画像表示システムの説明で用いた図３に対応する図であり、図１０（ａ）は斜視図、図１０（ｂ）は画像表示システムを上方から見た平面図である。なお、図１０において、支持装置１１０などを含めた全体的な構成は図１と同様に考えることができる。
【００６１】
実施形態３に係る画像表示システムは、スクリーン装置１００の幕１０１，１０１，・・・が、実施形態１及び実施形態２に係る画像表示システムにおいて用いられるスクリーン装置１００の幕１０１，１０１，・・・に比べて横方向（図１０におけるｙ軸方向）の幅が狭い形状となっている。そして、このように幅の狭い形状の幕（短冊形状の幕１０１，１０１，・・・という）をプロジェクタＰＪ１，ＰＪ２の投射方向及び投射方向を横切る方向にランダムに配置したものである。
【００６２】
具体的には、図１０に示すように、プロジェクタＰＪ１，ＰＪ２の投射方向を横切る方向（図１０におけるｙ軸方向）においては、短冊形状の幕１０１，１０１，・・・の枚数と間隔がランダムとなっており、また、プロジェクタＰＪ１，ＰＪ２の投射方向（図１０におけるｘ軸方向）においても、短冊形状の幕１０１，１０１，・・・の枚数と間隔がランダムとなっている。
【００６３】
なお、短冊形状の幕１０１，１０１，・・・を図１０に示すようにランダムに配置する場合、プロジェクタの投射画像の一部がどの幕にも表示されずにスクリーン装置１００を通り抜けてしまうといったことを防止するため、スクリーン装置１００の一方の側からプロジェクタの投射方向（図１０におけるｘ軸方向）に沿ってスクリーン装置１００を見たときに、スクリーン装置１００の他方の側が見通せるような大きな隙間ができないように短冊形状の幕１０１，１０１，・・・を配置することが好ましい。
【００６４】
実施形態３に係る画像表示システムのスクリーン装置が図１０に示すような構成を有することによって、実施形態２に係る画像表示システムと同様、人はスクリーン装置１００をプロジェクタＰＪ１，ＰＪ２の投射方向に沿って通り抜けることができる。さらに、実施形態３に係る画像表示システムでは、短冊形状の幕１０１，１０１，・・・がランダムに配置されているので、より自由度の高い多様な使い方が可能となる。
【００６５】
なお、図１０においては、短冊形状の幕１０１，１０１，・・・は、プロジェクタＰＪ１，ＰＪ２の投射方向に存在する短冊形状の幕１０１，１０１，・・・の対向する各幕面１０１ａが平行となるような配置の例が示されているが、これに限られることなく、例えば、対向するある幕面１０１ａ間は平行であったり、対向するある幕面１０１ａ間は多少の角度を有していたりというように、各幕面１０１ａの向きもランダムとなるような配置であってもよい。
【００６６】
[実施形態４]
図１１は実施形態４に係る画像表示システムの構成を模式的に示す図である。図１１は実施形態１に係る画像表示システムの説明で用いた図３（ｂ）と同様に画像表示システムを上方から見た平面図である。なお、図１１において、支持装置１１０などを含めた全体的な構成は図１と同様に考えることができる。
【００６７】
実施形態４に係る画像表示システムは、スクリーン装置１００に用いられる幕としては、実施形態１に係る画像表示システムのスクリーン装置１００において用いた幕１０１，１０１，・・・（図３参照）、実施形態２に係る画像表示システムのスクリーン装置１００において用いたスリットＳが設けられた幕１０１，１０１，・・・（図８参照）、実施形態３に係る画像表示システムのスクリーン装置１００において用いた短冊形状の幕１０１，１０１，・・・（図１０参照）のどれを用いてもよいが、図１１ではスリットＳを有する幕１０１，１０１，・・・を用いた場合を例示している。
【００６８】
実施形態４に係る画像表示システムは、図１１に示すように、スクリーン装置１００を上方から見たとき、幕１０１，１０１，・・・が複数のループを形成するように配置され、かつ、当該複数のループが複数の層を形成するように配置される。図１１に示す画像表示システムにおいては、ループは円形であって、各円形は中心を共有するような配置となっている。なお、各円形の中心は多少のずれがあってもよい。また、ループは真円である必要はなく、多少歪んだ円であってもよく、また、円ではなく楕円であってもよい。
【００６９】
幕１０１，１０１，・・・が図１１に示すように配置されることにより、実施形態４に係る画像表示システムのスクリーン装置１００は、中心軸を共有する３つの円筒形状のスクリーンによって構成されたものとなる。なお、これら３つの円筒形状のスクリーンを中心側から第１円筒スクリーンＳＣＲ１１、第２円筒スクリーンＳＣＲ１２、第３円筒スクリーンＳＣＲ１３と呼ぶことにする。
【００７０】
そして、第１円筒スクリーンＳＣＲ１１は２枚の幕１０１，１０１，・・・で構成され、第２円筒スクリーンＳＣＲ１２は３枚の幕１０１，１０１，・・・で構成され、第３円
筒スクリーンＳＣＲ１３は４枚の幕１０１，１０１，・・・で構成されている。
【００７１】
なお、第１〜第３円筒スクリーンＳＣＲ１１〜ＳＣＲ１３を構成する幕の数は図１１の例に限られるものではなく、スクリーン装置１００全体の規模などによって適宜変更可能であることは勿論である。また、円筒形をなす第１〜第３円筒スクリーンＳＣＲ１１〜ＳＣＲ１３は、それぞれ円筒形の中心軸が一致することは必須要件ではなく、多少のずれがあってもよい。
また、図１１に示す画像表示システムにおいては、３台のプロジェクタＰＪ１，ＰＪ２，ＰＪ３が円筒形状のスクリーン装置１００を取り囲むように設置されている。
【００７２】
実施形態４に係る画像表示システムのスクリーン装置は、スリットＳを有する幕１０１，１０１，・・・が用いられているので、人は円筒形状のスクリーン装置１００を各プロジェクタＰＪ１，ＰＪ２，ＰＪ３の投射方向に沿って通り抜けることができる。
【００７３】
また、実施形態４に係る画像表示システムにおいては、スクリーン装置１００に様々な角度からプロジェクタＰＪ１，ＰＪ２，ＰＪ３によって画像を投射するようにしているので、立体感のある画像を表現することができ、実施形態１〜３に係る画像表示システムとは異なった使い方もできる。
【００７４】
例えば、空港などのような大規模な建物のセンターホールなどに実施形態４に係る画像表示システムを設置して、プロジェクタＰＪ１，ＰＪ２，ＰＪ３から多種多様な案内表示の画像を投射するといった使い方もできる。また、イベント会場やショールームなどにおいて実施形態４に係る画像表示システムを設置することにより、これまでにはない斬新な演出効果を得ることがきる。
【００７５】
また、実施形態４に係る画像表示システムの変形例として、ループを多角形とすることも考えられる。すなわち、スクリーン装置１００を上方から見たとき、幕１０１，１０１，・・・が複数の多角形を形成するように配置され、かつ、当該複数の多角形が複数の層を形成するように配置される。
【００７６】
図１２は実施形態４に係る画像表示システムの変形例を示す図である。図１２は実施形態１に係る画像表示システムの説明で用いた図３（ｂ）と同様に画像表示システムを上方から見た平面図である。なお、図１２において、支持装置１１０などを含めた全体的な構成は図１と同様に考えることができる。
【００７７】
図１２に示す画像表示システムのスクリーン装置１００は、スクリーン装置１００を上方から見たとき、中心を共有する３つの多角形が形成される。したがって、図１２に示す画像表示システムのスクリーン装置１００は、３つの多角柱状のスクリーンによって構成されたものとなる。なお、これら３つの多角柱状のスクリーンを中心側から第１多角柱スクリーンＳＣＲ２１、第２多角柱スクリーンＳＣＲ２２、第３多角柱スクリーンＳＣＲ２３と呼ぶことにする。
【００７８】
また、第１〜第３多角柱スクリーンＳＣＲ２１〜ＳＣＲ２３を構成する幕としては、実施形態１に係る画像表示システムのスクリーン装置１００において用いた幕１０１，１０１，・・・（図３参照）、実施形態２に係る画像表示システムのスクリーン装置１００において用いたスリットＳが設けられた幕１０１，１０１，・・・（図８参照）、実施形態３に係る画像表示システムのスクリーン装置１００において用いた短冊形状の幕１０１，１０１，・・・（図１０参照）のどれを用いてもよいが、図１２では短冊状の幕１０１，１０１，・・・（図１０参照）を用いた場合を例示している。
【００７９】
図１２（ａ）はスクリーン装置１００を上方から見たとき、第１〜第３多角柱スクリーンＳＣＲ２１〜ＳＣＲ２３すべてにおいて、短冊形状の幕１０１，１０１，・・・の各幕の幅方向の長さ（図１０におけるｙ軸方向の長さ）を一辺とする多角形が形成された例である。
また、図１２（ｂ）はスクリーン装置１００を上方から見たとき、第１多角柱スクリーンＳＣＲ２１においては、短冊状の幕１０１の１枚分の幅方向長さを一辺とする多角形が形成され、第２多角柱スクリーンＳＣＲ２２においては、短冊状の幕１０１の２枚分の幅方向長さを一辺とする多角形が形成され、第３多角柱スクリーンＳＣＲ２３においては、短冊状の幕１０１の３枚分の幅方向長さを一辺とする多角形が形成された例である。
【００８０】
なお、図１２においては、多角形として６角形を例示したが、６角形に限られるものではない。また、図１２においては、各多角形は中心を共有するような配置となっているが、各多角形の中心は多少のずれがあってもよい。また、第１〜第３多角柱スクリーンＳＣＲ２１〜ＳＣＲ２３を構成する幕の数は図１２の例に限られるものではなく、スクリーン装置１００全体の規模などによって適宜変更可能であることは勿論である。
【００８１】
そして、スクリーン装置１００を図１２（ａ），（ｂ）に示すような形状とした場合にも、３台のプロジェクタＰＪ１，ＰＪ２，ＰＪ３がスクリーン装置１００を取り囲むように設置されている。
【００８２】
スクリーン装置１００を図１２に示すような構成としても図１１に示したスクリーン装置と同様、立体感のある画像を表現することができる。
なお、図１１及び図１２に示した実施形態４に係る画像表示システムにおいては、スクリーン装置１００を取り囲むように３台のプロジェクタＰＪ１，ＰＪ２，ＰＪ３を配置した場合を例示したが、より多くのプロジェクタを配置するような構成であってもよく、また、実施形態１〜３と同様、２台のプロジェクタＰＪ１，ＰＪ２がスクリーン装置１００を挟んで対向するように設置するような構成であってもよい。
【００８３】
[実施形態５]
実施形態５に係る画像表示システムは、幕１０１，１０１，・・・を格子状に配列することによってスクリーン装置を構成するものである。
図１３は実施形態５に係る画像表示システムの構成を模式的に示す図である。図１３は実施形態１に係る画像表示システムの説明で用いた図３（ｂ）と同様にスクリーン装置１００を上方から見た平面図であり、支持装置１１０などを含めた全体的な構成は図１と同様に考えることができる。
【００８４】
実施形態５に係る画像表示システムにおけるスクリーン装置１００は、図１３に示すように、幕１０１，１０１，・・・を格子状に配置した構成となっている。そして、このように構成されたスクリーン装置１００に対して、四方向から画像の投射が可能となるように４台のプロジェクタＰＪ１〜ＰＪ４が設置されている。なお、図１３に示す画像表示システムにおいて、プロジェクタの数やプロジェクタの設置の仕方はスクリーン装置の規模などに応じて適宜変更可能である。
【００８５】
実施形態５に係る画像表示システムによれば、スクリーン装置１００に対して、四方向から画像の投射を行うことにより、スクリーン装置１００の４面それぞれに画像を表示させることが可能となるため、従来の平面的なスクリーン装置とは異なった画像の表示の仕方が可能となり、また、円筒形のスクリーン装置や多角柱のスクリーン装置とは異なった画像の表示の仕方も可能となる。
【００８６】
なお、本発明は前述の各実施形態に限られるものではなく、本発明の要旨を逸脱しない
範囲で下記（１）〜（３）に示すように種々変形実施可能となるものである。
【００８７】
（１）前述の各実施形態に係る画像表示システムにおいて、スクリーン装置１００の一方の側及び他方の側それぞれに２台以上のプロジェクタを設置するようにして、スクリーン装置１００の幕１０１，１０１，・・・の各幕面１０１ａに２台以上のプロジェクタからの画像を並べて表示するタイリング投射を行ったり、２台以上のプロジェクタからの画像を重ね合わせて１つの画像を表示するスタッキング投射を行ったりすることもできる。
【００８８】
例えば、図３の例においては、プロジェクタＰＪ１側及びＰＪ２側それぞれにプロジェクタを２台ずつ設置して、それぞれの側において２台ずつのプロジェクタによりタイリング投射やスタッキング投射を行うことが考えられる。
【００８９】
（２）幕の配置は前述の各実施形態に限られるものではなく、図１４に示すように、種々の配置例が考えられる。図１４（ａ）は一般的な背の高さを有する成人の頭の高さ程度に複数の幕１０１，１０１，・・・を天井から吊り下げた例、図１４（ｂ）は、一般的な背の高さを有する成人の頭の高さよりも高い位置に複数の幕１０１，１０１，・・・を天井から吊り下げた例を示すものである。
【００９０】
（３）前述の各実施形態では、幕１０１，１０１，・・・は、各幕面１０１ａが平行な状態で対向する例で説明したが、必ずしも平行である必要はなく、所定の角度を有した状態で対向するようにしてもよい。また、各幕面１０１ａの間隔も一定である必要はなく、任意に設定することができる。また、スクリーン装置１００を構成する幕の数は、画像表示システムの設置場所や用途によって適切な枚数の設定が可能である。
【図面の簡単な説明】
【００９１】
【図１】実施形態１に係る画像表示システムの構成を示す図。
【図２】プロジェクタＰＪ１，ＰＪ２の構成を概略的に示す図。
【図３】実施形態２に係る画像表示システムの構成を模式的に示す図。
【図４】スクリーン装置１００に２台のプロジェクタＰＪ１，ＰＪ２で投射を行った状態を模式的に示す図。
【図５】人の目に与える影響を考慮した場合のプロジェクタＰＪ１，ＰＪ２の設置位置の例を示す図。
【図６】実施形態１に係る画像表示システムの使用例（その１）を示す図。
【図７】実施形態１に係る画像表示システムの使用例（その２）を示す図。
【図８】実施形態２に係る画像表示システムの構成を模式的に示す図。
【図９】実施形態２に係る画像表示システムの使用例を示す図。
【図１０】実施形態３に係る画像表示システムの構成を模式的に示す図。
【図１１】実施形態４に係る画像表示システムの構成を模式的に示す図。
【図１２】実施形態４に係る画像表示システムの変形例としてスクリーン装置を多角柱状とした場合を示す図。
【図１３】実施形態５に係る画像表示システムの構成を模式的に示す図。
【図１４】本発明の画像表示システムの他の使用例を簡略化して示す図。
【符号の説明】
【００９２】
１００・・・スクリーン装置、１０１・・・幕、１０１ａ・・・幕面、１１０・・・支持装置、Ｓ・・・スリット、ＰＪ１，ＰＪ２，ＰＪ３・・・プロジェクタ、ＳＣＲ１１〜ＳＣＲ１３・・・第１〜第３円筒スクリーン、ＳＣＲ２１〜ＳＣＲ２３・・・第１〜第３多角柱スクリーン
【図１１】
2008268859.tif 000003
【図１２】
2008268859.tif 000004
【図１３】
2008268859.tif 000005
【図１】
2008268859.tif 000006
【図２】
2008268859.tif 000007
【図３】
2008268859.tif 000008
【図４】
2008268859.tif 000009
【図５】
2008268859.tif 000010
【図６】
2008268859.tif 000011
【図７】
2008268859.tif 000012
【図８】
2008268859.tif 000013
【図９】
2008268859.tif 000014
【図１０】
2008268859.tif 000015
【図１４】
2008268859.tif 000016